(57)【特許請求の範囲】
【請求項１】
電子データを記憶しているデータサーバと、
通信回線を介して前記データサーバから前記電子データを受信する通信端末と、
前記通信端末が受信した前記電子データをユーザに認識させるために出力するデータ出力装置と、
を備え、
前記データサーバは、
前記電子データを記憶しているデータ記憶手段と、
前記電子データを前記通信端末に送信する送信手段と、
を有し、
前記通信端末は、
前記電子データを受信する受信手段と、
前記電子データを暗号化することにより暗号化データを生成する暗号化手段と、
前記暗号化データを出力する通信端末側出力手段と、
を有し、かつ、前記暗号化データを復号する復号手段を有さず、
前記データ出力装置は、
前記暗号化データを取得する取得手段と、
前記暗号化データを前記電子データに復号する復号手段と、
復号された前記電子データを出力する出力装置側出力手段と、
を備えるデータ出力システム。
【請求項２】
請求項１に記載のデータ出力システムにおいて、
前記データ出力装置は、復号された前記電子データを記憶し、かつ前記データ出力装置の電源がＯＦＦになると前記電子データが消去される出力装置側記憶手段を備え、
前記出力装置側出力手段は、前記出力装置側記憶手段から前記電子データを読み出して出力するデータ出力システム。
【請求項３】
請求項２に記載のデータ出力システムにおいて、
前記出力装置側記憶手段はＲＡＭであるデータ出力システム。
【請求項４】
請求項１〜３のいずれか一つに記載のデータ出力システムにおいて、
前記通信端末は、
端末側記憶手段と、
前記端末側記憶手段に前記暗号化データを記憶させる書込手段と、
を備え、
前記通信端末側出力手段は、前記端末側記憶手段から前記暗号化データを読み出して前記データ出力装置に出力するデータ出力システム。
【請求項５】
請求項４に記載のデータ出力システムにおいて、
前記通信回線は公衆無線通信網を含んでおり、
前記通信端末は、携帯通信端末であり、
前記端末側記憶手段はリムーバブルメディアであるデータ出力システム。
【請求項６】
請求項４又は５に記載のデータ出力システムにおいて、
前記通信端末は、前記端末側記憶手段から前記暗号化データを消去する消去手段を備えるデータ出力システム。
【請求項７】
請求項１〜６のいずれか一つに記載のデータ出力システムにおいて、
前記電子データは画像データであり、
前記出力装置側出力手段は、外部の画像表示装置に前記電子データを出力するデータ出力システム。
【請求項８】
請求項１〜６のいずれか一つに記載のデータ出力システムにおいて、
前記電子データは画像データであり、
前記データ出力装置は、前記電子データを表示する表示手段を有し、
前記出力装置側出力手段は前記表示手段に前記電子データを出力するデータ出力システム。
【請求項９】
電子データを記憶しているデータサーバから通信回線を介して前記電子データを受信する受信手段と、
前記電子データを暗号化することにより暗号化データを生成する暗号化手段と、
前記暗号化データを、復号手段を有しているデータ出力装置に出力する暗号化データ出力手段と、
を備え、かつ、前記暗号化データを復号する復号手段を備えない通信端末。
【請求項１０】
電子データを記憶しているデータサーバから、通信端末が通信回線を介して前記電子データを受信するステップと、
暗号化されたデータを復号する機能を有さない前記通信端末が前記電子データを暗号化することにより暗号化データを生成するステップと、
データ出力装置が前記暗号化データを取得するステップと、
前記データ出力装置が前記暗号化データを前記電子データに復号するステップと、
前記データ出力装置が前記電子データを出力してユーザに認識させるステップと、
を備えるデータ出力方法。
【請求項１１】
通信端末で実行可能なプログラムであって、前記通信端末に、
電子データを記憶しているデータサーバから通信回線を介して前記電子データを受信する機能と、
前記電子データを暗号化することにより暗号化データを生成する機能と、
前記暗号化データを、復号手段を有しているデータ出力装置に出力する機能と、
を実現させ、かつ、前記暗号化データを復号する機能を実現させないプログラム。
【発明の詳細な説明】
【技術分野】
【０００１】
本発明は、データサーバが記憶している電子データを通信回線を介して出力するデータ出力システム、通信端末、データ出力装置、データ出力方法、及びプログラムに関する。
【背景技術】
【０００２】
社外などで電子データを用いてプレゼンテーションを行う場合、一般的には電子データを格納したパソコンやリムーバブルメディアを社外に持ち出し、これらからプロジェクタ等の表示装置に電子データを出力していた。
【０００３】
また特許文献１には、プレゼンテーション用データを携帯端末に格納し、そのデータをプロジェクタに送信して投影させるシステムが開示されている。このシステムでは、携帯端末からプロジェクタに制御信号をワイヤレスで送信することにより、プロジェクタの電源のＯＮ／ＯＦＦ、投影の開始、投影画面の切替などの制御を行うことができる。
【特許文献１】特開２００３−１９８８７０号公報
【発明の開示】
【発明が解決しようとする課題】
【０００４】
しかし、上記した技術では、移動中にパソコン、リムーバブルメディア、又は携帯端末を紛失した場合に、電子データが漏洩する可能性があった。
【０００５】
本発明は上記事情に鑑みてなされたものであり、その目的とするところは、電子データが漏洩する可能性が小さいデータ出力システム、通信端末、データ出力装置、データ出力方法、及びプログラムを提供することにある。
【課題を解決するための手段】
【０００６】
本発明によれば、電子データを記憶しているデータサーバと、
通信回線を介して前記データサーバから前記電子データを受信する通信端末と、
前記通信端末が受信した前記電子データをユーザに認識させるために出力するデータ出力装置と、
を備え、
前記データサーバは、
前記電子データを記憶しているデータ記憶手段と、
前記電子データを前記通信端末に送信する送信手段と、
を有し、
前記通信端末は、
前記電子データを受信する受信手段と、
前記電子データを暗号化することにより暗号化データを生成する暗号化手段と、
前記暗号化データを出力する通信端末側出力手段と、
を有し、
前記データ出力装置は、
前記暗号化データを取得する取得手段と、
前記暗号化データを前記電子データに復号する復号手段と、
復号された前記電子データを出力する出力装置側出力手段と、
を有するデータ出力システムが提供される。
【０００７】
本発明によれば、電子データを記憶しているデータサーバから通信回線を介して前記電子データを受信する受信手段と、
前記電子データを暗号化することにより暗号化データを生成する暗号化手段と、
前記暗号化データを、復号手段を有しているデータ出力装置に出力する暗号化データ出力手段と、
を備える通信端末が提供される。
【０００８】
本発明によれば、通信端末から、前記通信端末が電子データを暗号化することにより生成した暗号化データを受信する暗号化データ受信手段と、
前記暗号化データを前記電子データに復号する復号手段と、
復号された前記電子データをユーザに認識させるために出力する出力手段と、
を備えるデータ出力装置が提供される。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、電子データを格納したパソコン、リムーバブルメディア、又は携帯端末を所持して移動する必要がないため、電子データが漏洩する可能性が小さくなる。
【発明を実施するための最良の形態】
【００１１】
以下、本発明の実施の形態について、図面を用いて説明する。尚、すべての図面において、同様な構成要素には同様の符号を付し、適宜説明を省略する。
【００１２】
図１は、第１の実施の形態におけるデータ出力システムの構成を示すブロック図である。このデータ出力システムは、データサーバ２００と、通信端末３００と、データ出力装置４００を備えている。通信端末３００とデータ出力装置４００は、例えば通信ケーブル（ＵＳＢケーブルなど）５２を介して互いに接続しているが、無線通信により互いに接続してもよい。データサーバ２００は、例えば社内に設置されており、電子データを記憶しているデータ記憶部と、電子データを通信端末３００に送信する送信部とを有している。通信端末３００は、通信回線５０を介してデータサーバ２００から電子データを受信する受信部（取得部）と、電子データを暗号化することにより暗号化データを生成する暗号化部と、暗号化データを出力する出力部を有している。通信端末３００は、例えば携帯通信端末であり、通信回線５０は、例えばインターネット回線と公衆無線通信網を含んでいる。データ出力装置４００は、暗号化データを取得する受信部と、暗号化データを電子データに復号する復号部と、復号された電子データをユーザに認識させるために出力する出力部とを有している。本図に示す例では、データ出力装置４００は表示装置５００に電子データを出力する。表示装置５００は入力された電子データに基づいて表示を行う。表示装置５００は、例えばプロジェクタ、又は薄型ディスプレイである。
【００１３】
このデータ出力システムによれば、電子データを格納したパソコン、リムーバブルメディア、又は携帯端末を所持して移動する必要がない。このため、移動中にパソコン、リムーバブルメディア、又は携帯端末を紛失しても、電子データが漏洩しない。以下、通信端末３００を携帯通信端末として詳細に説明する。
【００１４】
図１に示すデータ出力システムは、さらに社内端末１００を有している。社内端末１００は、データ出力システムのユーザが電子データを編集するとき、及びユーザがデータサーバ２００に電子データを記憶させるときに用いられる。
【００１５】
図２は、データサーバ２００の機能構成の一例を示すブロック図である。この例においてデータサーバ２００は、機能部として内部ＩＤ受信部２０２、内部認証処理部２０４、登録処理部２０６、外部ＩＤ受信部２２２、外部認証処理部２２４、時限ＵＲＬ生成部２２６、及び送信部２２８を備えており、記憶部として認証データ記憶部２４０及び電子データ記憶部２５０を備えている。
【００１６】
内部ＩＤ受信部２０２及び内部認証処理部２０４は、社内端末１００がデータサーバ２００に接続するときの認証処理を行う。外部ＩＤ受信部２２２及び外部認証処理部２２４は、通信端末３００がデータサーバ２００に接続するときの認証処理を行う。認証データ記憶部２４０は、内部ＩＤ受信部２０２、内部認証処理部２０４、外部ＩＤ受信部２２２及び外部認証処理部２２４が行う認証処理に必要な情報を記憶している。
【００１７】
電子データ記憶部２５０は、電子データを記憶している。登録処理部２０６は、社内端末１００から送信されてきた電子データを電子データ記憶部２５０に記憶させる。時限ＵＲＬ生成部２２６、及び送信部２２８は、電子データ記憶部２５０が記憶している電子データを通信端末３００に送信するときの一連の処理を行う。
【００１８】
なお、上記した各機能部が行う動作の詳細については、フローチャートを用いて後述する。また認証データ記憶部２４０及び電子データ記憶部２５０が記憶しているデータのデータ構成についてはテーブルを用いて後述する。
【００１９】
図３は、認証データ記憶部２４０が記憶しているデータのデータ構成の一例をテーブル形式で示す図である。この例において認証データ記憶部２４０は、データ出力システムのユーザそれぞれごとに、ユーザＩＤ、ユーザが設定したパスワード、及びユーザが所持している通信端末３００の端末ＩＤを互いに対応付けて記憶している。図３に示す例では、端末ＩＤはその通信端末の電話番号であるが、個体識別番号であってもよい。
【００２０】
図４は、電子データ記憶部２５０が記憶しているデータのデータ構成の一例をテーブル形式で示す図である。この例において電子データ記憶部２５０は、電子データ及びそのタイトルを、その電子データを登録したユーザのユーザＩＤに対応付けて記憶している。なお本図に示す例において、電子データ記憶部２５０は、一つの電子データを複数のデータ形式で記憶している。これらデータ形式の一つは、通信端末３００で電子データを表示するためのデータ形式であり、別のデータ形式は、表示装置５００で電子データを表示するためのデータ形式である。
【００２１】
図５は、通信端末３００の機能構成の一例を示すブロック図である。この例において通信端末３００は、機能部として入力部３０２、ＩＤ送信部３０４、時限ＵＲＬ受信部３０６、電子データ受信部３０８、表示部３１０、暗号化部３１２、書込部３１４、リムーバブルメディア保持部３１５、及び送信部３１６を備えており、記憶部として端末ＩＤ記憶部３１８を備えている。
【００２２】
入力部３０２は、ユーザが通信端末３００に入力を行う部分である。表示部３１０は表示パネルを有しており、情報を表示することによりその情報をユーザに認識させる。端末ＩＤ記憶部３１８は、通信端末３００の端末ＩＤ（例えば電話番号又は個体識別番号）を記憶している。リムーバブルメディア保持部３１５は、リムーバブルメディア（例えばメモリカード）５０を保持している。リムーバブルメディア保持部３１５及びリムーバブルメディア６０は、端末側記憶部の一例である。
【００２３】
ＩＤ送信部３０４、時限ＵＲＬ受信部３０６、電子データ受信部３０８、暗号化部３１２、及び書込部３１４は、通信端末３００がデータサーバ２００から電子データを受信するときの一連の処理を行う。送信部３１６は、暗号化データを通信端末３００からデータ出力装置４００に出力する処理を行う。なお、これら機能部が行う動作の詳細については、フローチャートを用いて後述する。
【００２４】
図６は、データ出力装置４００の機能構成の一例を示すブロック図である。この例においてデータ出力装置４００は、受信部４０２、復号部４０４、ＲＡＭ制御部４０６、ＲＡＭ４０７、及び出力部４０８を備える。なおこの例においてデータ出力装置４００はデータを記憶する手段としてＲＡＭ４０７のみ有している。受信部４０２、復号部４０４、ＲＡＭ制御部４０６、及び出力部４０８が行う処理の詳細についてはフローチャートを用いて後述する。
【００２５】
なお、図２，５，６において、本発明の本質に関わらない部分の構成については省略してある。たとえば、図５においては一般的な携帯電話端末の構成である無線通信機能部、スピーカ、マイク等は図示していない。図２，５，６に示した各装置の各構成要素は、ハードウエア単位の構成ではなく、機能単位のブロックを示している。各装置の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００２６】
図７は、ユーザが電子データをデータサーバ２００に記憶させるときのデータ処理システムの動作の一例を示すフローチャートである。まずユーザは、社内端末１００で電子データの作成を行う（Ｓ１０）。次いでユーザは、社内端末１００にユーザＩＤ及びパスワードを入力する（Ｓ２０）。社内端末１００は、入力されたユーザＩＤ及びパスワード、並びに社内端末１００の端末識別データをデータサーバ２００に送信する（Ｓ３０）。
【００２７】
データサーバ２００の内部ＩＤ受信部２０２は、社内端末１００が送信してきたユーザＩＤ及びパスワード、並びに端末識別データを受信して内部認証処理部２０４に出力する。内部認証処理部２０４は、内部ＩＤ受信部２０２が受信したユーザＩＤ及びパスワードの組み合わせが、認証データ記憶部２４０に記憶されているか否かを確認する。ユーザＩＤ及びパスワードの組み合わせが認証データ記憶部２４０に記憶されている場合、社内端末１００を認証し（Ｓ４０：Ｙｅｓ）、端末識別データを登録処理部２０６に出力する。登録処理部２０６は、入力された端末識別データを用いて、電子データの登録画面を表示するためのデータである登録画面データを社内端末１００に送信する（Ｓ５０）。なお、ユーザＩＤ及びパスワードの組み合わせが認証データ記憶部２４０に記憶されていない場合（Ｓ４０：Ｎｏ）、データサーバ２００は処理を終了する。
【００２８】
社内端末１００は、登録画面データを受信すると、登録画面を表示する（Ｓ６０）。ユーザは、登録画面に従って、電子データの登録に必要な情報を入力する。次いで社内端末１００は、入力された情報及び電子データをデータサーバ２００に送信する（Ｓ７０）。
【００２９】
データサーバ２００の登録処理部２０６は、社内端末１００が送信した電子データを受信し、電子データのデータ形式を通信端末３００が処理できるデータ形式及び表示装置５００が表示できるデータ形式それぞれに変換する。これらはいずれも画像データである。詳細には、前者は、例えばＦｌａｓｈ  Ｌｉｔｅ形式であり、後者は例えばＧＩＦ形式である。そして登録処理部２０６は、変換後の各データを電子データ記憶部２５０に記憶させる（Ｓ８０）。
【００３０】
図８は、ユーザがデータサーバ２００から通信端末３００に電子データを送信するときの処理の一例を示すフローチャートである。まずユーザは、通信端末３００の入力部３０２にユーザＩＤ及びパスワードを入力する（Ｓ２１０）。入力部３０２は、入力されたユーザＩＤ及びパスワードをＩＤ送信部３０４に出力する。次いでＩＤ送信部３０４は、端末ＩＤ記憶部３１８から端末ＩＤ（例えば電話番号又は個体識別番号）を読み出す。次いでＩＤ送信部３０４は、ユーザＩＤ、端末ＩＤ、及びパスワードをデータサーバ２００に送信する（Ｓ２２０）。
【００３１】
データサーバ２００の外部ＩＤ受信部２２２は、通信端末３００からユーザＩＤ、端末ＩＤ、及びパスワードを受信して、受信したユーザＩＤ、端末ＩＤ、及びパスワードを外部認証処理部２２４に出力する。外部認証処理部２２４は、入力されたユーザＩＤ、端末ＩＤ、及びパスワードの組み合わせが認証データ記憶部２４０に記憶されているか否かを確認する。ユーザＩＤ、端末ＩＤ、及びパスワードの組み合わせが認証データ記憶部２４０に記憶されている場合、通信端末３００を認証し（Ｓ２３０：Ｙｅｓ）、端末ＩＤ及びユーザＩＤを時限ＵＲＬ生成部２２６に出力する。なお、ユーザＩＤ、端末ＩＤ、及びパスワードの組み合わせが認証データ記憶部２４０に記憶されていない場合（Ｓ２３０：Ｎｏ）、データサーバ２００は処理を終了する。
【００３２】
次いで時限ＵＲＬ生成部２２６は、入力されたユーザＩＤに対応して記憶されている電子データのタイトルのすべてを電子データ記憶部２５０から読み出し、読み出したタイトル一覧を表示するための選択画面データを生成し、送信部２２８に出力する。また時限ＵＲＬ生成部２２６は、選択画面データを送信するための時限ＵＲＬを生成する（Ｓ２４０）。時限ＵＲＬは、認証された通信端末３００のみがアクセス可能なＵＲＬであり、有効期限が予め定められている。次いで時限ＵＲＬ生成部２２６は、送信部２２８を介して時限ＵＲＬを、入力された端末ＩＤに対応する通信端末３００に送信する（Ｓ２５０）。
【００３３】
通信端末３００の時限ＵＲＬ受信部３０６は、データサーバ２００から時限ＵＲＬを受信して電子データ受信部３０８に出力する。電子データ受信部３０８は、ユーザが入力部３０２へ行った入力に従って、時限ＵＲＬを用いて選択画面データをデータサーバ２００に要求する。次いでデータサーバ２００の送信部２２８は、選択画面データを通信端末３００に送信する（Ｓ２５５）。
【００３４】
通信端末３００の電子データ受信部３０８は、データサーバ２００から選択画面データを受信し、受信した選択画面データを用いて選択画面を表示部３１０に表示させ（Ｓ２６０）、ユーザに認識させる。ユーザは、使用したい電子データのタイトル名の選択入力を、入力部３０２を介して行う（Ｓ２７０）。電子データ受信部３０８は、選択された電子データを要求する旨を示す第１要求情報をデータサーバ２００に送信する（Ｓ２８０）。第１要求情報には、電子データを特定する特定情報（例えばタイトル名）が含まれる。
【００３５】
データサーバ２００の送信部２２８は、通信端末３００から第１要求情報を受信すると、受信した第１要求情報に含まれている特定情報を用いて、要求された電子データを電子データ記憶部２５０から読み出す。ここで読み出す電子データは、通信端末３００が処理できるデータ形式の電子データである（Ｓ２９０）。次いで送信部２２８は、読み出した電子データを通信端末３００に送信する（Ｓ３００）。
【００３６】
通信端末３００の電子データ受信部３０８は、データサーバ２００が送信した電子データを受信して表示部３１０に表示させる（Ｓ３１０）。ユーザは、表示部３１０の表示を見て、その電子データでよいか否かを確認し、入力部３０２を介して確認結果を示すデータを入力する。
【００３７】
表示された電子データでよい旨の情報が入力部３０２に入力された場合（Ｓ３２０：Ｙｅｓ）、電子データ受信部３０８は、表示装置５００が用いるデータ形式の電子データを要求していることを示す第２要求情報をデータサーバ２００に送信する（Ｓ３３０）。表示された電子データではない旨の情報が入力された場合（Ｓ３２０：Ｎｏ）、電子データ受信部３０８はＳ２６０に戻る。
【００３８】
データサーバ２００の送信部２２８は、第２要求情報を受信すると、表示装置５００で用いるデータ形式の電子データを電子データ記憶部２５０から読み出す（Ｓ３４０）。次いで送信部２２８は、読み出した電子データを通信端末３００に送信する（Ｓ３５０）。
【００３９】
通信端末３００の電子データ受信部３０８は、データサーバ２００が送信した電子データを受信して暗号化部３１２に出力する。暗号化部３１２は、入力された電子データを暗号化して（Ｓ３６０）、リムーバブルメディア保持部３１５が保持しているリムーバブルメディア６０に書き込む（Ｓ３７０）。この結果、リムーバブルメディア６０には少なくとも一つの暗号化データが書き込まれる。
【００４０】
図９は、通信端末３００が保持しているリムーバブルメディア６０に書き込まれた暗号化データを、データ出力装置４００を用いて表示装置５００で表示するときの処理の一例を示すフローチャートである。まずユーザは、通信端末３００の入力部３０２に、リムーバブルメディア６０が記憶している暗号化データの表示命令を入力する（Ｓ４１０）。すると送信部３１６は、リムーバブルメディア６０から暗号化データを読み出し（Ｓ４２０）、データ出力装置４００に送信する（Ｓ４３０）。リムーバブルメディア６０に複数の暗号化データが記憶されている場合、送信部３１６は、一度に複数の暗号化データをデータ出力装置４００に送信してもよい。
【００４１】
データ出力装置４００の受信部４０２は、通信端末３００から暗号化データを受信して復号部４０４に出力する。復号部４０４は、入力された暗号化データを電子データに復号し（Ｓ４４０）、復号した電子データをＲＡＭ制御部４０６に出力する。ＲＡＭ制御部４０６は、入力された電子データをＲＡＭ４０７に記憶させる（Ｓ４５０）。通信端末３００から複数の暗号化データが入力された場合、データ出力装置４００は、複数の暗号化データに対してＳ４４０及びＳ４５０の処理を一度に行っても良い。そして出力部４０８は、適宜ＲＡＭ４０７から電子データを読み出して表示装置５００に出力し、電子データを表示させる（Ｓ４６０）。
【００４２】
そして電子データの表示を終了させるとき、ユーザは、通信端末３００の入力部３０２に表示終了命令を入力する（Ｓ４７０）。すると送信部３１６は、データ出力装置４００に表示終了命令を送信する（Ｓ４８０）。
【００４３】
データ出力装置４００の受信部４０２は、通信端末３００から表示終了命令を受信する。そして受信部４０２は、ＲＡＭ制御部４０６及び出力部４０８に表示終了命令を出力する。出力部４０８は、表示終了命令が入力されると電子データの出力を終了する（Ｓ４９０）。またＲＡＭ制御部４０６は、表示終了命令が入力されるとＲＡＭ４０７から電子データを消去する（Ｓ５００）。ＲＡＭ４０７に複数の電子データが記憶されている場合、この消去は電子データ単位で行われても良いし、複数の電子データに対して一度に行われても良い。ＲＡＭ４０７がＤＲＡＭである場合、この消去は、例えばＲＡＭ４０７のリフレッシュ処理を行わないことであってもよい。
【００４４】
なお、リムーバブルメディア６０に記憶されている暗号化データは、通信端末３００の入力部３０２に入力される指令に従って、書込部３１４が適宜消去してもよい。この消去の具体例を説明する。通信端末３００が例えば携帯通信端末である場合、通信端末３００は、電子データの表示処理を行うためにはアプリケーションソフトウェアを立ち上げる必要がある。ここで、このアプリケーションソフトウェアを終了する旨の命令が入力部３０２に入力されたときに、書込部３１４がリムーバブルメディア６０から暗号化データを消去しても良い。
【００４５】
次に、本実施形態の作用効果について説明する。まず、電子データを格納したパソコン、リムーバブルメディア、又は携帯端末などを所持して移動する必要がなくなる。このため、移動中にパソコン、リムーバブルメディア、又は携帯端末を紛失しても電子データは漏洩しない。
【００４６】
また通信端末３００は、データサーバ２００から受信した電子データを暗号化して暗号化データを生成して、この暗号化データをリムーバブルメディア６０に記憶させる。このとき、通信端末３００は電子データを記憶しない。このため、電子データが漏洩する可能性はさらに低くなる。
【００４７】
また通信端末３００は、電子データではなく暗号化データをデータ出力装置４００に出力する。このため、電子データが漏洩する可能性はさらに低くなる。
【００４８】
また、データ出力装置４００は暗号化データを復号する機能を有しているが、通信端末３００は暗号化データを復号する機能を有していない。このため、リムーバブルメディア６０が暗号化データを記憶した状態で通信端末３００を紛失しても、電子データが漏洩する可能性は低い。
【００４９】
また、データ出力装置４００は復号した電子データをＲＡＭ４０７に記憶させる。このため、特別な消去処理を行わなくても、データ出力装置４００の電源を切れば、ＲＡＭ４０７に記憶されている電子データは確実に消去される。従って、電子データが漏洩する可能性はさらに低くなる。
【００５０】
また、通信端末３００の書込部３１４は、例えば通信端末３００が電子データの表示処理を行うためのプリケーションソフトウェアを終了するときに、リムーバブルメディア６０から暗号化データを消去する。このため、従って、電子データが漏洩する可能性はさらに低くなる。
【００５１】
また、データサーバ２００から通信端末３００に電子データを送信する処理は、携帯通信網などの公衆通信回線を介して行うことができる。また、通信端末３００は、市販されている携帯通信端末に必要なソフトウェアを組み込むことで実現できる。従ってデータ出力システムの構築コストは低い。
【００５２】
また、通信端末３００は、暗号化データをリムーバブルメディア６０に記憶している。このため、通信端末３００の中に大容量の記憶部を設ける必要がなくなり、市販されている携帯通信端末を通信端末３００として使用することができる。
【００５３】
図１０は、第２の実施形態にかかるデータ出力システムの構成を示す図である。このデータ出力システムは、データ出力装置４００が表示装置の機能を有している点、及び図１に示した表示装置５００を有していない点を除いて、第１の実施形態と同様である。以下、第１の実施形態と同様の構成については同一の符号を付して、説明を省略する。
【００５４】
図１１は、本実施形態におけるデータ出力装置４００の機能構成を示すブロック図である。このデータ出力装置４００は、表示部４１０を有している点、及び出力部４０８が電子データを表示部４１０に出力して表示させる点を除いて、第１の実施形態にかかるデータ出力装置４００と同様の構成である。
【００５５】
本実施形態にかかるデータ出力システムの動作は、出力部４０８が電子データを表示部４１０に出力して表示させる点を除いて、第１の実施形態にかかるデータ出力装置の動作と同様であるため、説明を省略する。
【００５６】
本実施形態によれば、第１の実施形態と同様の効果を得ることができる。また、表示装置がない場所でも、データ出力装置４００を用いて電子データを表示することができる。
【００５７】
以上、図面を参照して本発明の実施形態について述べたが、これらは本発明の例示であり、上記以外の様々な構成を採用することもできる。例えばデータ出力装置４００にリムーバブルメディア６０から情報を読み出す機能を設け、通信端末３００からリムーバブルメディア６０を抜き取ってデータ出力装置４００に移動させることにより、暗号化データをデータ出力装置４００に移動させてもよい。
なお、上述した実施形態によれば以下の発明が開示されている。
（付記１）
電子データを記憶しているデータサーバと、
通信回線を介して前記データサーバから前記電子データを受信する通信端末と、
前記通信端末が受信した前記電子データをユーザに認識させるために出力するデータ出力装置と、
を備え、
前記データサーバは、
前記電子データを記憶しているデータ記憶手段と、
前記電子データを前記通信端末に送信する送信手段と、
を有し、
前記通信端末は、
前記電子データを受信する受信手段と、
前記電子データを暗号化することにより暗号化データを生成する暗号化手段と、
前記暗号化データを出力する通信端末側出力手段と、
を有し、
前記データ出力装置は、
前記暗号化データを取得する取得手段と、
前記暗号化データを前記電子データに復号する復号手段と、
復号された前記電子データを出力する出力装置側出力手段と、
を備えるデータ出力システム。
（付記２）
付記１に記載のデータ出力システムにおいて、
前記データ出力装置は、復号された前記電子データを記憶し、かつ前記データ出力装置の電源がＯＦＦになると前記電子データが消去される出力装置側記憶手段を備え、
前記出力装置側出力手段は、前記出力装置側記憶手段から前記電子データを読み出して出力するデータ出力システム。
（付記３）
付記２に記載のデータ出力システムにおいて、
前記出力装置側記憶手段はＲＡＭであるデータ出力システム。
（付記４）
付記１〜３のいずれか一つに記載のデータ出力システムにおいて、
前記通信端末は、
端末側記憶手段と、
前記端末側記憶手段に前記暗号化データを記憶させる書込手段と、
を備え、
前記通信端末側出力手段は、前記端末側記憶手段から前記暗号化データを読み出して前記データ出力装置に出力するデータ出力システム。
（付記５）
付記４に記載のデータ出力システムにおいて、
前記通信回線は公衆無線通信網を含んでおり、
前記通信端末は、携帯通信端末であり、
前記端末側記憶手段はリムーバブルメディアであるデータ出力システム。
（付記６）
付記４又は５に記載のデータ出力システムにおいて、
前記通信端末は、前記端末側記憶手段から前記暗号化データを消去する消去手段を備えるデータ出力システム。
（付記７）
付記１〜６のいずれか一つに記載のデータ出力システムにおいて、
前記電子データは画像データであり、
前記出力装置側出力手段は、外部の画像表示装置に前記電子データを出力するデータ出力システム。
（付記８）
付記１〜６のいずれか一つに記載のデータ出力システムにおいて、
前記電子データは画像データであり、
前記データ出力装置は、前記電子データを表示する表示手段を有し、
前記出力装置側出力手段は前記表示手段に前記電子データを出力するデータ出力システム。
（付記９）
電子データを記憶しているデータサーバから通信回線を介して前記電子データを受信する受信手段と、
前記電子データを暗号化することにより暗号化データを生成する暗号化手段と、
前記暗号化データを、復号手段を有しているデータ出力装置に出力する暗号化データ出力手段と、
を備える通信端末。
（付記１０）
通信端末から、前記通信端末が電子データを暗号化することにより生成した暗号化データを受信する暗号化データ受信手段と、
前記暗号化データを前記電子データに復号する復号手段と、
復号された前記電子データをユーザに認識させるために出力する出力手段と、
を備えるデータ出力装置。
（付記１１）
付記１０に記載のデータ出力装置において、
復号された前記電子データを記憶し、かつ前記データ出力装置の電源がＯＦＦになると前記電子データが消去される記憶手段を備え、
前記出力手段は、前記記憶手段から前記電子データを読み出して出力するデータ出力装置。
（付記１２）
付記１１に記載のデータ出力装置において、
前記記憶手段はＲＡＭであるデータ出力装置。
（付記１３）
電子データを記憶しているデータサーバから、通信端末が通信回線を介して前記電子データを受信するステップと、
前記通信端末が前記電子データを暗号化することにより暗号化データを生成するステップと、
データ出力装置が前記暗号化データを取得するステップと、
前記データ出力装置が前記暗号化データを前記電子データに復号するステップと、
前記データ出力装置が前記電子データを出力してユーザに認識させるステップと、
を備えるデータ出力方法。
（付記１４）
通信端末で実行可能なプログラムであって、前記通信端末に、
電子データを記憶しているデータサーバから通信回線を介して前記電子データを受信する機能と、
前記電子データを暗号化することにより暗号化データを生成する機能と、
前記暗号化データを、復号手段を有しているデータ出力装置に出力する機能と、
を実現させるプログラム。
（付記１５）
データ出力装置で実行可能なプログラムであって、前記データ出力装置に、
通信端末から、前記通信端末が電子データを暗号化することにより生成した暗号化データを受信する機能と、
前記暗号化データを前記電子データに復号する機能と、
復号された前記電子データをユーザに認識させるために出力する機能と、
を実現させるプログラム。
【図面の簡単な説明】
【００５８】
【図１】第１の実施の形態におけるデータ出力システムの構成を示すブロック図である。
【図２】データサーバの機能構成の一例を示すブロック図である。
【図３】認証データ記憶部が記憶しているデータのデータ構成の一例を示す図である。
【図４】電子データ記憶部が記憶しているデータのデータ構成の一例を示す図である。
【図５】通信端末の機能構成の一例を示すブロック図である。
【図６】データ出力装置の機能構成の一例を示すブロック図である。
【図７】ユーザが電子データをデータサーバに記憶させるときのデータ処理システムの動作の一例を示すフローチャートである。
【図８】ユーザがデータサーバから通信端末に電子データを送信するときの処理の一例を示すフローチャートである。
【図９】リムーバブルメディアに書き込まれた暗号化データを、データ出力装置を用いて表示装置で表示するときの処理の一例を示すフローチャートである。
【図１０】第２の実施形態にかかるデータ出力システムの構成を示す図である。
【図１１】第２の実施形態にかかるデータ出力装置の機能構成を示すブロック図である。
【符号の説明】
【００５９】
５０ 通信回線
６０ リムーバブルメディア
１００ 社内端末
２００ データサーバ
２０２ 内部ＩＤ受信部
２０４ 内部認証処理部
２０６ 登録処理部
２２２ 外部ＩＤ受信部
２２４ 外部認証処理部
２２６ 時限ＵＲＬ生成部
２２８ 送信部
２４０ 認証データ記憶部
２５０ 電子データ記憶部
３００ 通信端末
３０２ 入力部
３０４ ＩＤ送信部
３０６ 時限ＵＲＬ受信部
３０８ 電子データ受信部
３１０ 表示部
３１２ 暗号化部
３１４ 書込部
３１５ リムーバブルメディア保持部
３１６ 送信部
３１８ 端末ＩＤ記憶部
４００ データ出力装置
４０２ 受信部
４０４ 復号部
４０６ ＲＡＭ制御部
４０７ ＲＡＭ
４０８ 出力部
４１０ 表示部
５００ 表示装置
【図１】
0005062021.tif 000002
【図２】
0005062021.tif 000003
【図３】
0005062021.tif 000004
【図４】
0005062021.tif 000005
【図５】
0005062021.tif 000006
【図６】
0005062021.tif 000007
【図７】
0005062021.tif 000008
【図８】
0005062021.tif 000009
【図９】
0005062021.tif 000010
【図１０】
0005062021.tif 000011
【図１１】
0005062021.tif 000012